(57)【要約】      （修正有）【課題】キャリーバッグの上面に載置した手荷物等を固定するために使用するベルトであって、手荷物等の横方向も保持することができ、且つ、長さ調節の容易化が図られた手荷物等固定ベルト、及び、これを備えたキャリーバッグを提供する。【解決手段】キャリーバッグのキャリーバーに取り付けられる環状のキャリーバー取付部１１と、キャリーバー取付部１１が一端に取り付けられ、他端側に２つの挿通部１２１、１２２が形成された、長さ調節用の金具を有しないベルト部１２と、ベルト部１２の２つの挿通部１２１、１２２に通されることで、手荷物の側面を保持する環状の横方向保持部１３１と、キャリーバーに取り付けられる環状の縦方向保持部１３２と、が形成される１本のひも状部材１３と、ひも状部材１３に設けられるスライドストッパー１４と、を備える。【選択図】図１
0003201924.tif 000002
【実用新案登録請求の範囲】
【請求項１】
キャリーバッグの上面に載置した手荷物等を固定するために使用するベルトであって、
キャリーバッグのキャリーバーに取り付けられる環状のキャリーバー取付部と、
前記キャリーバー取付部が一端に取り付けられ、他端側に２つの挿通部が形成された、長さ調節用の金具を有しないベルト部と、
前記ベルト部の２つの挿通部に通されることで、手荷物等の側面を保持する環状の横方向保持部と、前記キャリーバーに取り付けられる環状の縦方向保持部と、が形成される１本のひも状部材と、
前記ひも状部材に設けられる、長さ調節部材と、
を備えることを特徴とする手荷物等固定ベルト。
【請求項２】
前記横方向保持部に、帯状のバンド部背あてパーツを備えることを特徴とする請求項１に記載の手荷物等固定ベルト。
【請求項３】
前記キャリーバー取付部が、バックルを備える帯状のベルト部材によって形成され、キャリーバー取付部長さ調節部材を備えることを特徴とする請求項１又は請求項２に記載の手荷物等固定ベルト。
【請求項４】
請求項１から請求項３の何れかに記載の手荷物等固定ベルトを備えるキャリーバッグ。
【考案の詳細な説明】
【技術分野】
【０００１】
本考案は、キャリーバッグの上面に載置した手荷物等を固定するために使用する手荷物等固定ベルト、及びこれを備えたキャリーバッグに関する。
【背景技術】
【０００２】
キャリーバッグは、一般的に、直方体状に形成されたケース本体を有し、このケース本体の下部にキャスターが設けられ、また、ケース本体の背面側に伸縮可能なキャリーバーを有するのが基本的な態様である。
キャリーバッグは、旅行時等によく使用されるものであるが、キャリーバッグに入りきらない荷物や、取り出し易さや携帯性の面から、キャリーバッグとは別途の手荷物等を携行することも多い。
この手荷物等を、キャリーバッグの上面に載せて運ぶことが良く行われているが、単にキャリーバッグの上面においただけでは、手荷物等が落ちたりするため、手荷物等をキャリーバッグに固定するためのバンド等が使用されており、特許文献１に、これに関連する技術が公開されている。
【先行技術文献】
【特許文献】
【０００３】
【特許文献１】特開２０１０−２５９５８７
【考案の概要】
【考案が解決しようとする課題】
【０００４】
特許文献１で開示される「手荷物固定用ストラップ」は、手荷物等を縦方向にのみ保持する構造であるため、横方向を保持することができないものであった。
また、手荷物等をキャリーバッグに固定するためのバンドを、汎用的に使用できるものとするには、キャリーバッグのサイズや手荷物等のサイズがそれぞれ異なるため、その長さを調節できる必要がある。このため、特許文献１に示されるように、ベルト部に長さ調節用の金具が設けられるのが一般的であるが、この種の金具にて手荷物等のサイズに合わせて長さ調節をすることは煩雑なものであった。
【０００５】
本考案は、上記の点に鑑み、キャリーバッグの上面に載置した手荷物等を固定するために使用するベルトであって、手荷物等の横方向も保持することができ、且つ、長さ調節の容易化が図られた手荷物等固定ベルト、及び、これを備えたキャリーバッグを提供することを目的とする。
【課題を解決するための手段】
【０００６】
（構成１）
キャリーバッグの上面に載置した手荷物等を固定するために使用するベルトであって、キャリーバッグのキャリーバーに取り付けられる環状のキャリーバー取付部と、前記キャリーバー取付部が一端に取り付けられ、他端側に２つの挿通部が形成された長さ調節用の金具を有しないベルト部と、前記ベルト部の２つの挿通部に通されることで、手荷物等の側面を保持する環状の横方向保持部と、前記キャリーバーに取り付けられる環状の縦方向保持部と、が形成される１本のひも状部材と、前記ひも状部材に設けられる、長さ調節部材と、を備えることを特徴とする手荷物等固定ベルト。
【０００７】
（構成２）
前記横方向保持部に、帯状のバンド部背あてパーツを備えることを特徴とする構成１に記載の手荷物等固定ベルト。
【０００８】
（構成３）
前記キャリーバー取付部が、バックルを備える帯状のベルト部材によって形成され、キャリーバー取付部長さ調節部材を備えることを特徴とする構成１又は構成２に記載の手荷物等固定ベルト。
【０００９】
（構成４）
構成１から構成３の何れかに記載の手荷物等固定ベルトを備えるキャリーバッグ。
【考案の効果】
【００１０】
本考案の手荷物等固定ベルト及びキャリーバッグによれば、手荷物等の側面を保持する環状の横方向保持部を備えるため、手荷物等の横方向も保持することができる。
また、横方向保持部と、キャリーバーに取り付けられる環状の縦方向保持部とが１本のひも状部材で形成され、このひも状部材に長さ調節部材が備えられるため、横方向、縦方向の締付け作業（長さ調節）が、容易かつ同時に可能であり、従来品で一般的であったベルト部における長さ調節用の金具等を不要とすることができる。
【図面の簡単な説明】
【００１１】
【図１】本考案に係る実施形態の手荷物等固定ベルトを示す斜視図
【図２】本考案に係る実施形態の手荷物等固定ベルトを示す下面側の斜視図
【図３】本考案に係る実施形態の手荷物等固定ベルトの使用状態を示す図
【図４】本考案に係る実施形態の手荷物等固定ベルトを取り付ける手順を示す図
【図５】本考案に係る実施形態の手荷物等固定ベルトを取り付ける手順を示す図
【図６】本考案に係る実施形態の手荷物等固定ベルトを取り付ける手順を示す図
【考案を実施するための形態】
【００１２】
以下、本考案の実施態様について、図面を参照しながら具体的に説明する。なお、以下の実施態様は、本考案を具体化する際の一形態であって、本考案をその範囲内に限定するものではない。
【００１３】
図１及び図２は本考案に係る実施形態の手荷物等固定ベルトを示す図である。
本実施形態の手荷物等固定ベルト１は、キャリーバッグの上面に載置した手荷物等を固定するために使用するベルトであって、図１、２に示されるように、キャリーバッグのキャリーバーに取り付けられる環状のキャリーバー取付部１１と、キャリーバー取付部１１が一端に取り付けられ、他端側に２つの挿通部が形成されたベルト部１２と、ベルト部１２の２つの挿通部１２１、１２２に中間部分が通されることで、手荷物等の側面を保持する環状の横方向保持部１３１と、キャリーバーに取り付けられる環状の縦方向保持部１３２と、が形成される１本のひも状部材１３と、ひも状部材１３に設けられるスライドストッパー（長さ調節部材）１４と、横方向保持部１３１に備えられる帯状のバンド部背あてパーツ１５と、を備える。
【００１４】
キャリーバー取付部１１は、バックル１１１を備える帯状のベルト部材によって形成され、キャリーバー取付部長さ調節部材１１２を備える。
キャリーバー取付部長さ調節部材１１２により、環状の大きさを変更することができ、また、バックル１１１を備えることにより、環状状態を解くことができる。これらにより、キャリーバーのサイズに合わせた調節が可能であり、また、キャリーバーへの着脱操作も容易となるものである。
【００１５】
ベルト部１２は、長さ調節用の金具を有せず、その一端にキャリーバー取付部１１が設けられ、他端に挿通部１２１、１２２が形成される。
ベルト部１２に設けられる挿通部１２１、１２２は、本実施形態では、ベルト部１２と同じ素材でベルト部１２より幅広の生地の両端を折り返して、その中央部をベルト部１２と一緒に縫い合わせることにより、縫い目のない両端の折り返し部分によって両サイドに細長い空洞部を作ることで形成される。
本実施形態では、図１に示されるように、ベルト部１２の端部（キャリーバー取付部１１が取り付けられる方と逆の端部）に、ベルト部１２の長手方向の両サイドに沿うように、ひもを通すことができる細長い空洞部が形成され、これが挿通部１２１、１２２となる。
【００１６】
ベルト部１２の挿通部１２１、１２２に、ひも状部材１３が順に通されて、ひも状部材１３の両端部が結ばれる。
これにより、環状の横方向保持部１３１と、環状の縦方向保持部１３２が形成される。
横方向保持部１３１には、帯状のバンド部背あてパーツ１５が備えられ、ひも状部材１３の両端部が結ばれる箇所において、スライドストッパー１４が設けられる。
【００１７】
スライドストッパー１４は、ひもの長さ調節等に一般的に用いられるストッパーであり、ひもを通す穴が形成されていて、この穴の径を小さくするように付勢された部材を有し（これによってひもがスライドしないように保持する）、この付勢力に抗して穴の径を広げることで、ひもをスライドさせることができるものである。
【００１８】
図３は、上記の構成を有する手荷物等固定ベルト１の使用状態を示す図であり、図４〜図６は、手荷物等固定ベルト１のキャリーバッグ２への取り付け（手荷物３の固定）を説明するための図である。
【００１９】
図４〜図６に示されるように、手荷物等固定ベルト１のキャリーバッグ２への取り付けは、キャリーバー取付部１１をキャリーバッグ２のキャリーバー２２に取り付けるステップと（図４）、キャリーバッグ２のケース本体２１の上面であって、手荷物等固定ベルト１（ベルト部１２）の上に手荷物３を載置するステップと（図５（ａ））、手荷物３及びキャリーバー２２に横方向保持部１３１をかけるステップと（図５（ｂ））、縦方向保持部１３２を手荷物３の上からキャリーバー２２に取り付けるステップと（図６（ａ））、スライドストッパー１４で締付けるステップと（図６（ｂ））、によって行われ、これによって図３に示す状態となる。なお、横方向保持部１３１をかけるステップ（図５（ｂ））においては、手荷物３及びキャリーバー２２に対して横方向保持部１３１をかけるようにしているが、手荷物３に対してのみ横方向保持部１３１をかけるようにしてもよい。ただし、上記説明のごとく、手荷物３及びキャリーバー２２に横方向保持部１３１をかけた方が、より安定して手荷物３を保持することができる。
【００２０】
上述の作業手順および、各図からも理解できるように、本実施形態の手荷物等固定ベルト１によれば、非常に簡便且つ確実に手荷物３をキャリーバッグ２に固定することができる。
即ち、横方向保持部１３１を有することにより、手荷物３を横方向においても固定することができるため、縦横の両方から包み込むように手荷物３を保持することができ、従来より確実に手荷物３を保持することができる。
且つ、横方向保持部１３１と、縦方向保持部１３２（及びベルト部１２）によって、縦横の両方から包み込むように手荷物３を保持するものでありながら、双方の締付けを１回の作業（スライドストッパー１４の締付け）で行うことができ、操作が非常に簡便である。
なお且つ、この締付け作業によって自動的にキャリーバッグの大小や手荷物等の大小に合わせた長さ調節も行われるものであり、作業が非常に容易である。
【００２１】
従来は、特許文献１の手荷物固定用ストラップのごとく、ベルト部に長さ調節用金具が設けられるのが一般的であり、例えば、普段使っているものより小さな手荷物を固定しようとする場合には、ベルト部の長さ調節用金具によってその長さを短く調節することを要する場合がある。この種の金具による長さ調節は煩雑な作業であったが、本実施形態の手荷物等固定ベルト１によれば、上述のごとく、簡便な取り付け作業の中で自然に長さ調節も行われるものであり、非常に有用である。且つ、ベルト部の長さ調節用金具を削減できるため、コストの低減も図ることができる。
【００２２】
また、本実施形態の手荷物等固定ベルト１によれば、横方向保持部１３１にバンド部背あてパーツ１５が備えられるため、図６（ｂ）から理解されるように、キャリーバー２２に対する固定がより確実になると共に、横方向保持部１３１と、縦方向保持部１３２の区別が容易となり、作業性が向上する。即ち、バンド部背あてパーツ１５が無いと、双方ともにひも状部材１３である横方向保持部１３１と縦方向保持部１３２の区別がつき難く、取り付けの作業性が低下する恐れがあるが、本実施形態では、バンド部背あてパーツ１５がついている方が横方向保持部１３１であると瞬時に判別できるため、取り付けの作業性も良好なものとなる。
【００２３】
なお、本実施形態では、ベルト部１２に設けられる挿通部１２１、１２２の例として、ベルト部１２より幅広の生地の両端を折り返して、その中央部をベルト部１２と一緒に縫い合わせることにより、両サイドに細長い空洞部を作ることで形成されるものとしたが、本考案をこれに限るものではなく、挿通部１２１、１２２は、ひも状部材１３を通すことができるものであればよい。例えば、挿通部１２１、１２２を、ベルト部１２に形成した単なる穴（パンチ穴にハトメ加工しただけのもの等）としてもよい。
また、本実施形態では、ひも状部材１３の結び目やスライドストッパー（長さ調節部材）１４が、縦方向保持部１３２に設けられるものを例としているが、ひも状部材１３の結び目やスライドストッパー１４の双方若しくは何れかが横方向保持部１３１に設けられるものであっても構わない。ただし、本実施形態のもの（ひも状部材１３の結び目とスライドストッパー１４を縦方向保持部１３２に形成したもの）が取り付けの作業性の観点等から優れている。
なお、本考案における“ひも状部材”とは、幅広状（ベルト状）のもの等も含む概念であり、伸縮性を有するもの等であってもよい。
【符号の説明】
【００２４】
１．．．手荷物等固定ベルト
１１．．．キャリーバー取付部
１１１．．．バックル
１１２．．．キャリーバー取付部長さ調節部材
１２．．．ベルト部
１２１、１２２．．．挿通部
１３．．．ひも状部材
１３１．．．横方向保持部
１３２．．．縦方向保持部
１４．．．スライドストッパー（長さ調節部材）
１５．．．バンド部背あてパーツ
２．．．キャリーバッグ
２１．．．ケース本体
２２．．．キャリーバー
３．．．手荷物
【図１】
0003201924.tif 000003
【図２】
0003201924.tif 000004
【図３】
0003201924.tif 000005
【図４】
0003201924.tif 000006
【図５】
0003201924.tif 000007
【図６】
0003201924.tif 000008